(57)【要約】【課題】停電や災害発生時等の非常時にエレベータが起動しない場合に、人力により移動できるようにしたエレベータ装置を得る。【解決手段】停電や災害発生時等の非常時にエレベータが起動しない場合に、エレベータかご１を手動で移動させることができる手動駆動手段６を備えたものにおいて、かご内に設けられ、操作盤ボックス８及びそのボックスの前面を覆う操作盤フェースプレート９を有するかご内操作盤７と、操作盤ボックス内に着脱自在に収納され、手動駆動手段をかご内から駆動操作するための手動ハンドル１０と、操作盤ボックスに設けられ、手動ハンドルが差し込まれるハンドル差込口１１とを備え、操作盤フェースプレート９は、通常運転時は、手動ハンドル及びハンドル差込口を覆い隠すとともに、非常時には開放されて、手動ハンドル及びハンドル差込口を出現させるように移動する。【選択図】図４
2007168954.tif 000002
【特許請求の範囲】
【請求項１】
停電や災害発生時等の非常時にエレベータが起動しない場合に、エレベータかごを手動で移動させることができる手動駆動手段を備えたエレベータ装置において、
前記かご内に設けられ、操作盤ボックス及びそのボックスの前面を覆う操作盤フェースプレートを有するかご内操作盤と、
前記操作盤ボックス内に着脱自在に収納され、前記手動駆動手段を前記かご内から駆動操作するための手動ハンドルと、
前記操作盤ボックスに設けられ、前記手動ハンドルが差し込まれるハンドル差込口とを備え、
前記操作盤フェースプレートは、通常運転時は、前記手動ハンドル及びハンドル差込口を覆い隠すとともに、非常時には開放されて、前記手動ハンドル及びハンドル差込口を出現させるように移動することを特徴とするエレベータ装置。
【請求項２】
手動駆動手段は、かごの外側部に配置されてガイドレールに対して接離可能となるように設けられた歯車であることを特徴とするエレベータ装置。
【請求項３】
手動ハンドルを取り出してハンドル差込口に挿入すると、巻上機のブレーキを自動的に解除することを特徴とする請求項１又は請求項２記載のエレベータ装置。
【請求項４】
手動ハンドルの操作によりエレベータかごを移動させる場合、最寄階到着毎に手動ハンドルにロックが掛かるようにしたことを特徴とする請求項１〜請求項３のいずれかに記載のエレベータ装置。
【請求項５】
手動ハンドルの操作によりエレベータかごを移動させる場合、かご内インターホンからの音声ガイドで階床到着を知らせるようにしたことを特徴とする請求項１〜請求項４のいずれかに記載のエレベータ装置。
【請求項６】
操作盤フェースプレートを操作盤ボックスに対して開放阻止位置に固定する開放阻止用固定手段と、非常時に操作盤フェースプレートが開放方向に移動した時、操作盤フェースプレートの可動範囲を規制する可動範囲規制用固定手段とを備えたことを特徴とする請求項１〜請求項５のいずれかに記載のエレベータ装置。
【請求項７】
操作盤ボックス内には物を収納する収納手段と、操作盤フェースプレートを移動させることにより、収納物を取り出すことができることを特徴とする請求項１〜請求項６のいずれかに記載のエレベータ装置。
【発明の詳細な説明】
【技術分野】
【０００１】
この発明は、停電や災害発生時等の非常時にエレベータが起動しない場合に用いられて好適なエレベータ装置に関するものである。
【背景技術】
【０００２】
停電時や災害発生時等の非常時にエレベータが起動しない場合は、一般的には巻上機に保守員がアクセスし、手動でかごを移動させなければならない。しかし、広範囲に地震が発生した場合では、保守員が駆けつけるまでに時間を要する。また、火災の場合には、危険な階床を避けて安全な階床までかごを移動することが必要になると考えられる。また、従来のエレベータ装置としては、家庭用エレベータのような小型のエレベータにおいて、常時手動にて上下階に移動させる手動エレベータ装置がある（例えば、特許文献１参照）。
【０００３】
【特許文献１】特開平６−２６３３６４号公報
【発明の開示】
【発明が解決しようとする課題】
【０００４】
しかし、従来の手動エレベータ装置では、電気を全く利用しない構造になっており、手動だけでは高齢者や子供には負荷が大きくなるという問題が考えられる。また、ショッピングセンター等の大型のエレベータは、利便性が悪化したり、手動だけでは負荷が大きくなり過ぎて人力だけでは移動できないという問題が考えられる。
また、従来の一般的なエレベータの場合は停電の際、予備電源により自動的に最寄階まで移動する装置があるが、火災等の場合は、最寄階が危険な可能性があるため、エレベータで安全な階まで避難する必要がある。
【０００５】
この発明は、上述のような課題を解決するためになされたもので、停電や災害発生時等の非常時にエレベータが起動しない場合に、人力により移動できるようにしたエレベータ装置を提供するものである。
【課題を解決するための手段】
【０００６】
この発明に係るエレベータ装置においては、停電や災害発生時等の非常時にエレベータが起動しない場合に、エレベータかごを手動で移動させることができる手動駆動手段を備えたものにおいて、かご内に設けられ、操作盤ボックス及びそのボックスの前面を覆う操作盤フェースプレートを有するかご内操作盤と、操作盤ボックス内に着脱自在に収納され、手動駆動手段をかご内から駆動操作するための手動ハンドルと、操作盤ボックスに設けられ、手動ハンドルが差し込まれるハンドル差込口とを備え、操作盤フェースプレートは、通常運転時は、手動ハンドル及びハンドル差込口を覆い隠すとともに、非常時には開放されて、手動ハンドル及びハンドル差込口を出現させるように移動するものである。
【発明の効果】
【０００７】
この発明によれば、停電や災害発生時等の非常時にエレベータが起動しない場合においても、かご内から人力により容易にかごを階床まで移動することができる。
【発明を実施するための最良の形態】
【０００８】
実施の形態１．
図１はこの発明の実施の形態１におけるエレベータ装置の概略構成を示す全体図、図２は操作盤フェースプレートを移動させてハンドル及びハンドル差込口を出現させた状態を示すかご操作盤の正面図、図３はハンドルを出現させることにより歯車がガイドレールと接触した状態を示す図、図４はこの発明の実施の形態１におけるエレベータ装置を手動運転しているエレベータかご内の状態を示す図である。
【０００９】
図において、１はエレベータのかご、２は釣り合いおもり、３はかご１と釣り合いおもり２を連結して両者を互いに反対方向に昇降させる主索等からなる懸架手段、４は機械室等に設置された巻上機で、主索３が巻き掛けられている。５は昇降路に立設されてかご１を案内するガイドレール、６はかご１の外側部に配置された歯車からなる手動駆動手段で、ガイドレール５に対して離接可能となるように設けられている。７はかご１内に設けられた車椅子用かご操作盤である。このかご操作盤７は、操作盤ボックス８と、この操作盤ボックス８の前面を覆うように設けられ、例えば水平方向にスライド可能な操作盤フェースプレート９とから構成されている。そして、操作盤フェースプレート９が水平方向に移動して操作盤ボックス８の一部前面が開かれた時に、上記歯車６が上記ガイドレール５に接するようになっている。この時、かご１が落下しないように歯車６はストッパー付きの構造にすることが望ましい。また、エレベータの通常運転時は、操作盤フェースプレート９は操作盤ボックス８の前面を全て覆い隠しており、上記歯車６は上記ガイドレール５から離れた状態にあり、通常運転の妨げになることはない。また、操作盤フェースプレート９が水平方向に移動することにより開かれる操作盤ボックス８内には、折り畳み式式の手動ハンドル１０と、ハンドル差込口１１が設けられている。この手動ハンドル１０をハンドル差込口１１に挿入することにより、人力でエレベータを上下方向に移動させ、安全な階から脱出できるようにしたものである。
【００１０】
停電時や災害発生時等の非常時に、操作盤フェースプレート９が水平方向に移動されて操作盤ボックス８の一部前面が開かれ、手動ハンドル１０及びハンドル差込口１１が出現する。そこで、図４に示すように、かご１内から手動ハンドル１０を取り出しハンドル差込口１１に挿入すると、巻上機４のブレーキ（図示せず）を自動的に解除させ、釣り合いおもり２とのバランス比較で負荷の小さい方向に手動ハンドル１０を回すようにする。また、最寄階到着毎に一旦手動ハンドル１０にロックが掛かることと、かご内インターホンからの音声ガイド１２で、階床到着を確実に認識できるようにする。これにより、小さな負荷でかご１を移動することができ、かつ容易に停止すべき位置を認識することができる。
通常運転時は、車椅子用かご操作盤７の操作盤フェースプレート９の中（内側）に手動ハンドル１０とハンドル差込口１１が隠れるように設置する。かご操作盤７内では基板や配線の邪魔にならないように、操作盤内の空きスペースを利用して、操作盤ボックス８内部に、手動ハンドル１０及びハンドル差込口１１のための囲いを作っておくと良い。通常運転時は、手動ハンドル１０とハンドル差込口１１は操作盤フェースプレート９の裏側に配置されているため、利用者からは見ることはできない。よって、意匠性に影響を与えることはない。
【００１１】
実施の形態２．
図５はこの発明の実施の形態２におけるエレベータ装置の通常運転時におけるかご操作盤の正面図、図６は同じく通常運転時のかご操作盤の側面図、図７は通常運転時のかご操作盤の平面断面図、図８は非常ボタンを押して操作盤フェースプレートを移動させた状態を示すかご操作盤の平面断面図である。
【００１２】
この実施の形態２は、災害等による停電時のみ手動ハンドル１０を取り出すことができるように構成したものである。
車椅子用かご操作盤７は、上記実施の形態１の構成に加えて、通常運転時に操作盤フェースプレート９が開いてしまわないように、図７に示すように、操作盤フェースプレート９の裏面に阻止棒１３付きの開放阻止用ストッパー１４を取り付け、この開放阻止用ストッパー１４の阻止棒１３が、操作盤ボックス８の内方寄りのハンドル取付部枠１５に引っ掛るようにしておく。災害等による停電時に、上記開放阻止用ストッパー１４の阻止棒１３は非常ボタンと連動して作動するようにし、内方寄りのハンドル取付部枠１５に接している阻止棒１３がモータ等によって移動することにより、阻止棒１３が引き込まれてハンドル取付部枠１５から離れ、操作盤フェースプレート９が開放方向に稼動する。そして、非常時以外は操作盤フェースプレート９が開放されないように開放阻止している。
また、操作盤フェースプレート９と操作盤ボックス８は水平方向に可動できるように、
操作盤ボックス８内の上下にレール１６をそれぞれ取り付け、このレール１６上を操作盤フェースプレート９が移動するように、図７、図８に示すように、操作盤フェースプレート９と操作盤ボックス８とを取付金１７により固定している。
また、操作盤フェースプレート９を開放方向にずらした際に、大きく開きすぎると、配線が切れたり、ボックス８内の基板に触れることで故障が発生する可能性がある。そのため、図８に示すように、操作盤フェースプレート９の裏面側に、その開放時に操作盤ボックス８の反開放側の側端部に当たって開き過ぎないように可動範囲を規制する可動範囲規制用ストッパー１８を設けている。
【００１３】
次に、災害発生時等の停電時に手動ハンドル１０を取り出す手順について説明する。災害等の非常時にエレベータに電力が供給されなくなり、エレベータが停止する。そこで、車椅子用かご操作盤７の非常ボタンを押す。この非常ボタンと連動して操作盤フェースプレート９の開放阻止用ストッパー１４の阻止棒１３の引っ掛りが外れる。そして、操作盤ボックス８内の上下のレール１６に沿って操作盤フェースプレート９を開放方向にずらし、操作盤ボックス８の反開放側端部に可動範囲規制用ストッパー１８が当たるまで移動させる。これにより、操作盤フェースプレート９が開き、操作盤ボックス８内から手動ハンドル１０を取り出すことができる。  
【００１４】
以上のような構成とすることにより、操作盤ボックス８内の手動ハンドル１０部分が利用者にとって判り易く、迷わず取り出すことができる。また、非常ボタンを押すという動作により、インターホンからの音声ガイド等により利用者に指示できるような構成すれば、更に判り易くなる。
【００１５】
なお、上記の説明においては、操作盤７内に手動ハンドル１０を収納する例を示したが、手動ハンドルに限らず、消火器、救急箱、マスク等を収納するスペースとして利用し、上述の構成、動作によって、非常時に取り出すことができる。これにより、エレベータかご内のスペースを有効に活用することができる。
【図面の簡単な説明】
【００１６】
【図１】この発明の実施の形態１におけるエレベータ装置の概略構成を示す全体図である。
【図２】操作盤フェースプレートを移動させてハンドル及びハンドル差込口を出現させた状態を示すかご操作盤の正面図である。
【図３】ハンドルを出現させることにより歯車がガイドレールと接触した状態を示す図である。
【図４】この発明の実施の形態１におけるエレベータ装置を手動運転しているエレベータかご内の状態を示す図である。
【図５】この発明の実施の形態２におけるエレベータ装置の通常運転時におけるかご操作盤の正面図である。
【図６】同じく通常運転時のかご操作盤の側面図である。
【図７】通常運転時のかご操作盤の平面断面図である。
【図８】非常ボタンを押して操作盤フェースプレートを移動させた状態を示すかご操作盤の平面断面図である。
【符号の説明】
【００１７】
１  エレベータのかご
２  釣り合いおもり
３  主索等からなる懸架手段
４  巻上機
５  ガイドレール
６  歯車からなる手動駆動手段
７  車椅子用かご操作盤
８  操作盤ボックス
９  操作盤フェースプレート
１０  手動ハンドル
１１  ハンドル差込口
１２  音声ガイド
１３  阻止棒
１４  開放阻止用ストッパー
１５  ハンドル取付部枠
１６  レール
１７  取付金
１８  可動範囲規制用ストッパー
【図１】
2007168954.tif 000003
【図２】
2007168954.tif 000004
【図３】
2007168954.tif 000005
【図４】
2007168954.tif 000006
【図５】
2007168954.tif 000007
【図６】
2007168954.tif 000008
【図７】
2007168954.tif 000009
【図８】
2007168954.tif 000010